(57)【要約】【課題】乗客コンベアが故障したときに、専門知識や専門技術を有しない管理者でも、復旧作業手順を簡単に理解できる乗客コンベアの表示装置を提供する。【解決手段】乗客コンベア１の安全装置から故障データを検出する乗客コンベア制御装置７と接続されるバイル表示装置８であって、タッチパネル２７と、前記安全装置の故障データに対応した復旧作業手順データを記憶した画像データ記憶部２９と、タッチパネル２７の入力機能の操作に基づいて、乗客コンベア制御装置７から故障データを読み出し、読み出した故障データに対応した復旧作業手順データを抽出して表示する。【選択図】      図３
2011063382.tif 000002
【特許請求の範囲】
【請求項１】
乗客コンベアの安全装置から、前記乗客コンベアの故障に関する故障データを検出する乗客コンベア制御装置と接続される持ち運び可能な表示装置であって、
表示機能とタッチ式の入力機能を有するタッチパネルと、
前記安全装置の故障データに対応した復旧作業の手順を示す復旧作業手順データを記憶した記憶部と、
前記タッチパネルの入力機能の操作に基づいて、前記乗客コンベア制御装置から前記故障データを読み出し、読み出した前記故障データに対応した前記復旧作業手順データを前記記憶部から抽出して、前記タッチパネルに表示する表示装置制御部と、
を有することを特徴とした乗客コンベアの表示装置。
【請求項２】
前記表示装置制御部は、
前記タッチパネルの入力機能の操作に基づいて、前記乗客コンベアの運行状況を示す運行データと、予め記憶した部品の寿命情報に基づいて割り出した前記部品の交換時期を、前記乗客コンベア制御装置から読み出し、
前記部品の交換時期を前記タッチパネルに表示する、
ことを特徴とした請求項１記載の乗客コンベアの表示装置。
【請求項３】
外部出力ポートを有し、
前記表示装置制御部は、前記タッチパネルの入力機能の操作に基づいて、前記外部出力ポートに接続した外部機器に、前記タッチパネルに表示された情報を出力し、又は、前記外部機器から情報を読み込む、
ことを特徴とした請求項１記載の乗客コンベアの表示装置。
【請求項４】
外部記憶媒体と接続して認識できる認識部を有し、
前記表示装置制御部は、前記タッチパネルの入力機能の操作に基づいて、前記タッチパネルに表示された情報を前記外部記憶媒体に記憶させ、又は、読み出す、
ことを特徴とした請求項１記載の乗客コンベアの表示装置。
【請求項５】
前記表示装置制御部は、前記タッチパネルの入力機能の操作に基づいて、前記乗客コンベアの運転／停止、及び、各種運転モードを変更する信号を前記乗客コンベア制御装置に出力する、
ことを特徴とした請求項１記載の乗客コンベアの表示装置。
【請求項６】
前記表示装置制御部は、前記タッチパネルの入力機能の操作に基づいて、前記乗客コンベアの運行に関するパラメータを変更する操作信号を前記乗客コンベア制御装置に出力する、
ことを特徴とした請求項１記載の乗客コンベアの表示装置。
【請求項７】
前記乗客コンベア制御装置には、前記乗客コンベアの機械室内部に設置されたカメラと接続され、
前記表示装置制御部は、前記カメラからの映像を前記タッチパネルに表示し、また、前記タッチパネルの入力機能による操作に基づいて、前記カメラをコントロールする、
ことを特徴とした請求項１記載の乗客コンベアの表示装置。
【請求項８】
前記表示装置制御部は、前記タッチパネルによって入力したパスワードが、予め記憶したパスワードを一致したときに機能する、
ことを特徴とした請求項１〜７のいづれか一項に記載の乗客コンベアの表示装置。
【請求項９】
音声出力手段を有し、
前記表示装置制御部は、前記タッチパネルに表示された情報を前記音声出力手段から音声で出力する、
ことを特徴とした請求項１〜８のいづれか一項に記載の乗客コンベアの表示装置。
【請求項１０】
前記表示装置と前記乗客コンベア制御装置の間が無線通信で接続されている、
ことを特徴とした請求項１に記載の乗客コンベアの表示装置。
【請求項１１】
前記表示装置の筐体に取手を取付けた、
ことを特徴とした請求項１に記載の乗客コンベアの表示装置。
【発明の詳細な説明】
【技術分野】
【０００１】
本発明は、エスカレーター、動く歩道等の乗客コンベアに関して、保守員や管理者が使用する持ち運び可能な表示装置に関するものである。
【背景技術】
【０００２】
乗客コンベアには、利用者の安全を確保するため、さまざまな安全装置が設置されている。例えば、稼働部と静止部との境への異物の混入や人体の挟まれ等を検出する安全装置、乗客コンベア本体の機器的な異常を検出する安全装置がある。
【０００３】
これら安全装置が動作した場合、乗客コンベアはモータへの供給電源を遮断すると共に電磁ブレーキを動作させ踏段と手すりベルトを停止させる。乗客コンベアの停止後、管理人は保守員に連絡し、保守員が安全装置の動作箇所を調査し、動作した安全装置の状態や乗客コンベア本体の機器を確認して原因を排除し、その後乗客コンベアを再起動させて復旧する。この停止から復旧するまでの時間は、利用客の運搬が行えず、乗客コンベア設置場所の人の流れに影響するため、極力その停止時間を短縮することが理想的である。
【０００４】
そのため、保守員が、安全装置の動作箇所の特定や故障履歴などの停止情報を迅速に確認できる方法が図られている。例えば、乗客コンベアの制御装置内部に故障発生時の故障情報を記憶させ、専用ツールでその情報を読み出す方法、乗客コンベア本体の乗降口付近にＬＥＤで動作箇所の情報を表示する方法がある。
【０００５】
しかし、その情報は、安全装置の種類、設置場所、故障の発生日時、安全装置の状態等の故障が発生した時点の情報までに留まり、その安全装置が動作した場合の復旧方法、作業手順を表示し、案内できない。
【０００６】
また、特許文献１のポータブル表示装置が提案されている。このポータブル表示装置は、乗客コンベアの乗降口付近に設置するコネクタを介してポータブル表示装置を接続し、安全装置の動作状態や故障履歴などを読み出す装置である。そして、乗客コンベアの表面にコネクタを設置することにより、乗降板開放作業に要する時間を短縮している。
【０００７】
しかし、このポータブル表示装置は保守員向けの専用ツールであり、表示部分と操作部分が分離されていて、持ち運びできる程度の大きさであるため、表示部分は小さく、故障履歴の表示に限られる。また、持ち運びできる大きさであることから操作ボタンの設置数や大きさにも制約が生まれ、操作内容が直感的に理解できるものではなく、操作にはある程度熟練した者以外は、操作説明書を確認しながらの作業となり、逆に時間を要する。
【先行技術文献】
【特許文献】
【０００８】
【特許文献１】特開２００７−１６９０２３号公報
【発明の概要】
【発明が解決しようとする課題】
【０００９】
上記従来の表示装置は保守員の作業時間の短縮を図り、乗客コンベアの停止から復旧までの時間を短縮する方法を採っているが、管理者が保守員に連絡し、保守員が現場に到着するまでの時間は短縮できない。
【００１０】
そこで本発明は、上記問題点に鑑み、乗客コンベアが故障したときに、専門知識や専門技術を有しない管理者でも、復旧作業手順を簡単に理解できる乗客コンベアの表示装置を提供することにある。
【課題を解決するための手段】
【００１１】
本発明は、乗客コンベアの安全装置から、前記乗客コンベアの故障に関する故障データを検出する乗客コンベア制御装置と接続される持ち運び可能な表示装置であって、
表示機能とタッチ式の入力機能を有するタッチパネルと、前記安全装置の故障データに対応した復旧作業の手順を示す復旧作業手順データを記憶した記憶部と、前記タッチパネルの入力機能の操作に基づいて、前記乗客コンベア制御装置から前記故障データを読み出し、読み出した前記故障データに対応した前記復旧作業手順データを前記記憶部から抽出して、前記タッチパネルに表示する表示装置制御部と、を有することを特徴とした乗客コンベアの表示装置である。
【発明の効果】
【００１２】
本発明により、乗客コンベアが故障したときに、管理者でも、タッチパネルを見るだけで復旧作業手順を簡単に理解できる。
【図面の簡単な説明】
【００１３】
【図１】本発明に係る実施例１の乗客コンベアの外観図である。
【図２】モバイル表示装置の外観図であり、（ａ）は側面図、（ｂ）は正面図である。
【図３】乗客コンベアとモバイル表示装置の制御システムのブロック図である。
【図４】実施例１の液晶タッチパネルの表示画面の一例を示した画面遷移図である。
【図５】実施例２の液晶タッチパネルの表示画面の一例を示した画面遷移図である。
【図６】実施例３の液晶タッチパネルの表示画面の一例を示した画面遷移図である。
【図７】実施例４の液晶タッチパネルの表示画面の一例を示した画面遷移図である。
【図８】実施例５の液晶タッチパネルの表示画面の一例を示した画面遷移図である。
【図９】実施例６の液晶タッチパネルの表示画面の一例を示した画面遷移図である。
【図１０】実施例７の液晶タッチパネルの表示画面の一例を示した画面遷移図である。
【発明を実施するための形態】
【００１４】
本発明の一実施例である乗客コンベアと表示装置について図面を用いて説明する。
【００１５】
本実施例の表示装置は、乗客コンベアに予め設置されているものでなく、管理者、又は、保守員（以下、まとめて記載するときは「管理者等」という）が持ち運び可能なものであり、乗客コンベアの故障等の必要なときに乗客コンベアに接続する。以下、本実施例では、持ち運び可能な表示装置を「モバイル表示装置」という。
【実施例１】
【００１６】
本発明の実施例１の乗客コンベア１とモバイル表示装置８について図１〜図４を用いて説明する。
【００１７】
（１）乗客コンベア１の構成
図１は、本実施例に係る乗客コンベア１の外観図である。
【００１８】
乗客コンベア１は、手すりベルト２、欄干パネル３、スカートガード４、踏段５を備る。モータ６が手すりベルト２と踏段５を駆動する。このモータ６への給電を制御する乗客コンベア制御装置７が、乗客コンベア１の起動／停止を制御する。
【００１９】
乗客コンベア１は、持運び可能なモバイル表示装置８を接続する接続器具９ａ、９ｂを上下階の乗降口付近に有し、接続器具９ａ、９ｂは乗客コンベア制御装置７と電気的に接続されている。
【００２０】
なお、図１には、接続器具９ａ、９ｂを乗降口付近に２ケ所とした場合を例として記載しているが、設置数には制限は無く、必要な場所に必要数設置すればよい。また、接続器具９ａ、９ｂはカバーを被せ、いたずら、汚れ、ほこり等、外的損傷を防止する構造とし、カバーは施錠できる構造としてもよい。
【００２１】
（２）モバイル表示装置８の構造
図２は、本実施例のモバイル表示装置８の外観図であり、（ａ）は側面図、（ｂ）は正面図である。
【００２２】
モバイル表示装置８は、接続器具９ａ、９ｂに接続して、乗客コンベア制御装置７の情報を読み出し、表示する。
【００２３】
モバイル表示装置８は、直方体の筐体８ａからなり、前面に液晶タッチパネル２７、上面に電源スイッチ１１、下面に接続ケーブル１２、接続器具９ｃを備え、内部にはＣＰＵ、メモリ等を内蔵している。筐体８ａは、持ち運びが可能なように、例えば、縦１０ｃｍ、横２０ｃｍ、奥行き５ｃｍの大きさである。
【００２４】
筐体８ａの前面の両側と上面には、コの字状の取手１３ａ、１３ｂ、１３ｃが取付けられている。
【００２５】
筐体８ａの側面には、外部出力ポート１４と外部記憶媒体挿入口１５を備えている。外部出力ポート１４は、印刷機器、又は、端末機器等の外部機器１６との接続、及び、通信が可能である。外部記憶媒体挿入口１５は、外部記憶媒体１７（例えば、メモリカード）が挿入、及び、認識でき、データの読み書きが可能である。
【００２６】
図示しないが、モバイル表示装置８は音声出力用のスピーカーも備えている。
【００２７】
管理者が、モバイル表示装置８の接続器具９ｃを乗客コンベア１の接続器具９ａ、９ｂに接続し、電源スイッチ１１をＯＮする。すると、液晶タッチパネル２７への送電が開始し、液晶タッチパネル２７に画面が表示される。なお、モバイル表示装置８のＣＰＵが行う制御システムについては後から説明する。
【００２８】
（３）制御システムの構成
乗客コンベア１とモバイル表示装置８の制御システムについて図３を用いて説明する。図３は、乗客コンベア１とモバイル表示装置８の制御システムを示すブロック図である。
【００２９】
（３−１）乗客コンベア制御装置７
乗客コンベア制御装置７は、マイコンから構成され、全体の制御を司る乗客コンベア制御部１８、安全装置の動作内容を検出する安全装置動作検出部１９、乗客コンベア１の稼働時間や起動回数等の運行データと保守部品に関する情報を記憶する運行・保守データ記憶部２０、安全装置動作時の詳細情報を記憶する故障データ記憶部２１、乗客コンベア１の運行に関するパラメータを記憶するパラメータ記憶部２２、モバイル表示装置８との信号の送受信を行う入出力インターフェース２４、モバイル表示装置８への電源供給用の送電部２５、乗客コンベア１の機械室内の映像が確認できる監視カメラ２３を有している。
【００３０】
（３−２）モバイル表示装置８
モバイル表示装置８は、ＣＰＵからなる全体の制御を司る表示装置制御部２６、画面の表示機能と、タッチ式の入力機能を兼ねた液晶タッチパネル２７、音声データを再生する音声出力装置２８、画面データ記憶部２９、音声データ記憶部３０、スピーカー３１、外部出力ポート１４、外部記憶媒体挿入口１５、乗客コンベア制御装置７との信号の送受信を行う入出力インターフェース３２、乗客コンベア制御装置７から電源の供給を受ける受電部３３、乗客コンベア制御装置７と接続を行わず使用する場合の電源供給源である充電器３４を有している。
【００３１】
（４）動作
乗客コンベア１の運転中に何かの発生要因によって安全装置が動作して停止した場合、すなわち、乗客コンベア１が故障した場合に、安全装置動作検出部１９は、動作した安全装置、乗客コンベア１の故障内容、前記故障内容に対する発生要因、安全装置の動作状況、安全装置の動作場所を含む動作信号を検出して乗客コンベア制御部１８に送信する。
【００３２】
乗客コンベア制御部１８は、その動作信号と、安全装置が動作した日時、停止前の運転状態等の詳細情報を付加して、１回分の故障データとして故障データ記憶部２１に記憶させる。乗客コンベア制御部１８は、この故障データの記憶処理を安全装置が動作する毎に実行することで、故障履歴データを形成する。
【００３３】
モバイル表示装置８は、接続器具９ａ〜９ｃを介して乗客コンベア１に接続した場合に、故障データ記憶部２１から故障データを読み出す。一方、画面データ記憶部２９には、安全装置毎に復旧までの復旧作業の手順に関する復旧作業手順データが記憶されている。この復旧作業手順データは、その内容が管理者等に理解し易いように、記号などでなく、手順や発生要因を記載した文章、図面、その他の画像で表現されている。表示装置制御部２６は、読み出した故障データに含まれる、動作した安全装置、発生日時、故障内容、発生要因、動作状況、動作場所、発生前の運転状態、安全装置の復旧状態に基づいて、それに対応する復旧作業手順データを画面データ記憶部２９から抽出して、液晶タッチパネル２７に発生要因と共に表示する（図４の表示画面１００ｂ参照）。
【００３４】
（５）操作方法
モバイル表示装置８の操作方法を図４を用いて説明する。図４は、本実施例の液晶タッチパネル２７の表示画面の一例を示した画面遷移図である。
【００３５】
故障発生時に故障情報を受けた管理者等が現地に赴き、乗客コンベア１の接続器具９ａ、９ｂにモバイル表示装置８を接続し、電源スイッチ１１をＯＮする。すると、モバイル表示装置８は、画面１００ａのような初期画面を表示する。
【００３６】
管理者等が発生中の故障内容を迅速に確認したい場合は、タッチ式の故障内容確認ボタン５０を押すと、画面１００ｂに移行する。モバイル表示装置８の表示装置制御部２６は、画面１００ｂに、乗客コンベア制御装置７に記憶された故障履歴の中で、最新の故障データを読み出す。また、画像データ記憶部２９から、故障データに含まれる安全装置に該当する復旧作業手順データを抽出して、液晶タッチパネル２７に発生要因と共に表示する。この復旧作業手順データは、記号などでなく、手順や発生要因を記載した文章、図面、その他の画像で表現されているので、その内容が管理者等に理解し易い。
【００３７】
また、管理者等が、過去の故障履歴を確認したい場合は、初期画面である画面１００ａでメニューボタン５１を押すと、画面１００ｃに示すメニュー画面に移行する。管理者等は、メニュー画面の中の故障履歴確認ボタン５２を押すと画面１００ｄに移行する。
【００３８】
モバイル表示装置８の表示装置制御部２６は、乗客コンベア制御装置７に記憶された故障履歴を故障データ記憶部２１から読み出し、画面１００ｄに示すように一覧表で表示する。管理者等がスクロールボタン５４、又は、ページ切換ボタン５５をタッチ操作すると、履歴内容のスクロール、又は、ページ切換ができ、膨大なデータでも迅速に確認できる。
【００３９】
（６）取手の役割
管理者等がモバイル表示装置８を操作する場合、右利きの者は左手で取手１３ａを掴み、左利きの者は右手で取手１３ｂを掴み、液晶タッチパネル２７の操作が行え、モバイル表示装置８を固定して操作できる。
【００４０】
また、管理者等がモバイル表示装置８を床上等に逆向きに置いた場合、液晶タッチパネル２７より、取手１３ａ、１３ｂが前面に突出しているため、先に取手１３ａ、１３ｂが床面等に触れ、液晶タッチパネル２７が直接床面等に触れることがない。
【００４１】
取手１３ｃは、モバイル表示装置８を持運ぶ際の取手の役割や、事務所等で保管する際、壁にフック等を設置すれば、取手１３ｃは壁掛保管用の金具としての役割も果たせる。
【００４２】
以上により、取手１３ａ、１３ｂは、モバイル表示装置８を誤って落下させる、又は、逆向きに置く等の直接的な保護ができる。取手１３ｃは、モバイル表示装置８の持ち運びや保管に便利で、モバイル表示装置８を誤って落下することを減少させるため、間接的な保護ができる。
【００４３】
そのため、破損しやすい液晶タッチパネル２７が外的損害を受けて破損するのを防止できる。
【００４４】
また、突出した取手１３ａ、ｂ、ｃとすることで、固定や持ち運び等の他の用途と兼用できる。
【００４５】
（７）効果
本実施例によれば、液晶タッチパネル２７に、復旧作業手順を文章や画像で表示する。これにより、管理者等が直感的に操作内容を理解でき、操作内容が解りやすく簡単で、操作に熟練度は必要としない。したがって、安全装置が動作してから復旧までの作業時間が短縮され、管理者等の操作ミス、又は、記号読み替え等による認識ミスが減少する。
【００４６】
また、操作内容が解りやすく簡単になることで、保守員のみならず専門知識を有しない管理者も操作ができる。
【００４７】
また、復旧作業順を表示することにより、仮に安全装置の動作原因がいたずらや蹴飛ばし等による不要動作の場合、管理者が自ら作業手順や復旧方法に従い、乗客コンベアの復旧作業を行うことできる。そのため、専門の保守員が現場に到着するまでの時間を短縮でき、故障発生から復旧までの停止時間を短縮できる。
【実施例２】
【００４８】
次に、本発明の実施例２の乗客コンベア１とモバイル表示装置８について図５を用いて説明する。
【００４９】
なお、乗客コンベア１とモバイル表示装置８の構成については、実施例１と同様であるため、説明は省略する。以下、実施例１と異なるモバイル表示装置８の表示内容について図５を用いて説明する。図５は、本実施例の液晶タッチパネル２７の表示画面の一例を示した画面遷移図である。
【００５０】
（１）乗客コンベア制御部１８の動作
乗客コンベア制御部１８が、乗客コンベア１の運転方向、稼働時間、起動回数等の運行データと、運行データの監視期間とを、運転中に運行・保守データ記憶部２０に記憶する。運行・保守データ記憶部２０には、保守交換が必要な部品とその部品の耐用寿命とを予め記憶している。乗客コンベア制御部１８は、前記運転中に運行データにより、交換部品の動作回数、使用時間、使用年数を割り出し、使用実績値として運行・保守データ記憶部２０の記憶を更新する。
【００５１】
また、乗客コンベア制御部１８は、交換要否の判定を、例えば寿命に対する使用実績が９割を越えるもの等で判定した情報と、部品交換を行った際の交換回数の情報を運行・保守データ記憶部２０に記憶する。
【００５２】
（２）モバイル表示装置８の動作
管理者等が、モバイル表示装置８を、接続器具９ａ〜９ｃを介して乗客コンベア１に接続する。すると、モバイル表示装置８は、運行・保守データ記憶部２０から前記運行・保守データを読み出し、読み出したデータを、予め画面データ記憶部２９に記憶する文章や画像の画面データに書き換えて、液晶タッチパネル２７に表示する。
【００５３】
また、部品交換時の交換回数のカウントと部品毎の使用実績のクリア操作が、液晶タッチパネル２７のタッチ操作で行える。
【００５４】
（３）操作方法
モバイル表示装置８の操作方法を、図５を用いて説明する。
【００５５】
管理者等が、モバイル表示装置８を乗客コンベア１に接続して、メニュー画面の画面１００ｃを表示させ、メニューの中の運行データ確認ボタン５６を押すと画面１００ｅに移行し、保守部品確認ボタン５７を押すと画面１００ｆに移行する。
【００５６】
モバイル表示装置８の表示装置制御部２６は、画面１００ｅと画面１００ｆの間でも移行が可能なように画面上には移行ボタンを配置している。
【００５７】
モバイル表示装置８の表示装置制御部２６は、乗客コンベア制御装置７の運行データを運行・保守データ記憶部２０から読み出し、運転方向、それを総合した場合の稼働時間、起動回数、運行データの監視期間を、文章や画像によって画面１００ｅに表示する。
【００５８】
モバイル表示装置８の表示装置制御部２６は、乗客コンベア制御装置７の保守データを運行・保守データ記憶部２０から読み出し、保守交換が必要な部品やその寿命、使用実績、交換要否、交換回数等を、文章や画像によって画面１００ｆに表示する。
【００５９】
管理者等が交換が必要になった部品を交換した場合は、管理者等が液晶タッチパネル２７の入力操作にて、部品別で使用実績のクリア操作を行う。乗客コンベア制御部１８は、そのクリア操作を起点とし、該当する部品の使用実績データを初期化し、交換回数をカウントする。乗客コンベア制御部１８は、その後再度、運行データより使用実績を割り出して行くことにより、保守データを管理する。
【００６０】
（４）効果
本実施例によれば、管理者等が、保守に必要なさまざまなデータを解りやすく簡単に確認できる。そのため、保守作業の効率化につながる。また、管理者等が保守交換が必要な部品の交換時期が目安値として判断でき、寿命到達前に部品交換ができる。したがって、部品寿命が原因の故障停止を未然に防ぐことができ、故障停止の頻度を減少させることができる。
【００６１】
また、管理者等は、保守作業で寿命が迫る交換部品を事前に理解できるため、作業を開始した際、集中的に部品の調査・交換でき、保守作業の効率化につながる。
【００６２】
また、管理者等が保守作業の内容がある程度理解できることで、管理者等は作業に対する安心感が生まれ、管理者等が、交換時期の目安を判断できることにより、保守にかかる費用の計画を立てることができる。
【実施例３】
【００６３】
次に、本発明の実施例３の乗客コンベア１とモバイル表示装置８について図６を用いて説明する。
【００６４】
なお、乗客コンベア１とモバイル表示装置８の構成については、実施例１と同様であるため、説明は省略する。以下、実施例１と異なるモバイル表示装置８の表示内容について図６を用いて説明する。図６は、本実施例の液晶タッチパネル２７の表示画面の一例を示した画面遷移図である。
【００６５】
（１）操作方法
モバイル表示装置８の操作方法を図６を用いて説明する。
【００６６】
管理者等が、モバイル表示装置８を乗客コンベア１に接続して、メニュー画面の画面１００ｃを表示させ、故障履歴確認ボタン５２を押し、画面１００ｄに移行させる。
【００６７】
管理者等が、画面１００ｄの印刷ボタン５８を押すと画面１００ｇに移行し、保存ボタン５９を押すと画面１００ｈに移行する。
【００６８】
画面１００ｇは、外部機器１６としてプリンタを接続している場合の表示案内であり、はいボタン６０ａを押すことで、プリンタから液晶タッチパネル２７に表示される画像データが印刷される。いいえボタン６１ａを押すと画面１００ｄに戻る。
【００６９】
画面１００ｈは、外部記憶媒体（例えば、メモリカード）１７を使用した場合の表示内容で、はいボタン６０ｂを押すことで、外部記憶媒体１７に液晶タッチパネル２７に表示される画像データが保存される。いいえボタン６１ｂを押すと画面１００ｄに戻る。
【００７０】
図６は、液晶タッチパネル２７に表示される画面データの出力を実行するものである。しかし、モバイル表示装置８は、画面データ記憶部２９、又は、音声データ記憶部３０に記憶されるデータを同様の方法で出力することや、外部機器１６、及び、外部記憶媒体１７からデータを読み取り、画面データ記憶部２９、又は、音声データ記憶部３０に記憶することもできる。
【００７１】
（２）効果
本実施例によれば、モバイル表示装置８を乗客コンベア１に接続して読み出した各種データを一旦記憶し、管理者等が事務所等に持ち帰って、確認したデータを印刷、又は、端末機器で確認できる。そのため、報告書類の作成、データの解析、故障内容の統計等の書類作成が容易にできることや、データのバックアップも容易である。
【実施例４】
【００７２】
次に、本発明の実施例４の乗客コンベア１とモバイル表示装置８について図７を用いて説明する。
【００７３】
なお、乗客コンベア１とモバイル表示装置８の構成については、実施例１と同様であるため、説明は省略する。以下、実施例１と異なるモバイル表示装置８の表示内容について図７を用いて説明する。図７は、本実施例の液晶タッチパネル２７の表示画面の一例を示した画面遷移図である。
【００７４】
（１）操作方法
モバイル表示装置８の操作方法を、図７を用いて説明する。
【００７５】
管理者等がモバイル表示装置８を乗客コンベア１に接続して、メニュー画面の画面１００ｃを表示させ、運転操作ボタン６２を押すと画面１００ｉに移行する。
【００７６】
画面１００ｉは、現在設定されている乗客コンベア１の運転モードと乗客コンベア１の状態が表示され、下方に起動ボタン６３、停止ボタン６４、モード切換ボタン６５のような操作ボタンが配置される。
【００７７】
乗客コンベア１を運転する場合は、管理者等は画面１００ｉで起動ボタン６３を押すと、画面１００ｊに移行する。管理者等が画面１００ｊに表示される操作案内の通り操作ボタンを操作することで、モバイル表示装置８から乗客コンベア制御装置７に起動指令が発信し、それを受けた乗客コンベア制御装置７はモータ６を起動することで、乗客コンベア１が起動する。乗客コンベア１の起動後は、画面１００ｉに移行し、図示しないが乗客コンベア１の状態は「停止中」から「運転中」に変更され、運転方向を表す文字や矢印を表示する。運転方向を表す文字や矢印は、状態が「運転中」の場合のみに表示するよう構成している。
【００７８】
乗客コンベア１を停止する場合は、管理者等が画面１００ｉで停止ボタン６４を押すと、画面１００ｋに移行する。管理者等が画面１００ｋに表示される操作案内の通り操作ボタンを操作することで、前記と同様に乗客コンベア制御装置７の制御で乗客コンベア１が停止する。乗客コンベア１の停止後は、画面１００ｉに移行し、図示しないが乗客コンベア１の状態は「運転中」から「停止中」に変更され、運転方向を表す文字や矢印は消える。
【００７９】
管理者等が乗客コンベア１の運転モードを変更する場合は、画面１００ｉでモード切換ボタン６５を押すと、画面１００ｍに移行する。管理者等が画面１００ｍに表示される操作案内の通り操作ボタンを操作することで、前記と同様に乗客コンベア制御装置７の制御で乗客コンベア１の運転モードを変更できる。運転モードを変更後は、画面１００ｉに移行し、図示しないが表示される運転モードは変更した運転モードに変更される。
【００８０】
（２）効果
本実施例によれば、管理者等が各種データの確認後に乗客コンベア１を再起動させる場合、表示装置の取り外しやキースイッチによる運転操作などの作業手間を省くことができる。
【００８１】
運転操作においても、液晶タッチパネル２７に表示される文章や画像により案内できるため、管理者等に解りやすく簡単で、誤動作を減少させることができる。
【００８２】
また、モバイル表示装置８が乗客コンベア１の操作パネルの機能を有している。そのため、乗客コンベア１の表面に設置する操作パネルを省いて、モバイル表示装置８で代用すると、乗客コンベア１の表面に操作パネルが無く、外観上見栄えのよい乗客コンベア１を提供できる。
【実施例５】
【００８３】
次に、本発明の実施例５の乗客コンベア１とモバイル表示装置８について図８を用いて説明する。
【００８４】
なお、乗客コンベア１とモバイル表示装置８の構成については、実施例１と同様であるため、説明は省略する。以下、実施例１と異なるモバイル表示装置８の表示内容について図８を用いて説明する。図８は、本実施例の液晶タッチパネル２７の表示画面の一例を示した画面遷移図である。また、乗客コンベア制御部１８は、モバイル表示装置８からの操作信号により、パラメータ記憶部２２に設定された各種パラメータの設定値を読み出し、及び、書き換えができる。
【００８５】
（１）操作方法
モバイル表示装置８の操作方法を、図８を用いて説明する。
【００８６】
管理者等がモバイル表示装置８を乗客コンベア１に接続して、メニュー画面の画面１００ｃを表示させ、パラメータ設定ボタン６６を押すと画面１００ｎに移行する。
【００８７】
管理者等が画面１００ｎで変更、又は、設定するアドレスを数値入力キー６７ａにより入力する。その後、管理者等が読出ボタン６８を押すと、入力したアドレスの現在値をパラメータ記憶部２２から読み出し、現在値の欄に表示される。
【００８８】
次に、管理者等が変更値を数値入力キー６７ａにより入力し、書込ボタン６９を押すと、パラメータ記憶部２２のデータが書き換えられ、画面１００ｎの現在値も変更値に更新され、変更操作後の確認が行える。
【００８９】
（２）効果
本実施例によれば、乗客コンベア１の外部より各種パラメータの設定変更が可能となり、作業が単なる設定変更のみの場合等には、乗降板を開けて制御装置内部の設定を変更する手間が省け、作業時間を短縮できる。
【００９０】
また、文章や画像にて表現できるため操作内容が解りやすく簡単で、管理者でも操作できるため、自動運転の運転時間や、警報ブザーの鳴動時間の簡単な設定変更のみのために保守員に連絡し、作業を依頼する必要も無くなり、手間や作業費の発生を抑えることができる。
【実施例６】
【００９１】
次に、本発明の実施例６の乗客コンベア１とモバイル表示装置８について図９を用いて説明する。
【００９２】
なお、乗客コンベア１とモバイル表示装置８の構成については、実施例１と同様であるため、説明は省略する。以下、実施例１と異なるモバイル表示装置８の表示内容について図９を用いて説明する。図９は、本実施例の液晶タッチパネル２７の表示画面の一例を示した画面遷移図である。また、乗客コンベア制御部１８は、モバイル表示装置８からの操作信号により、機械室内の映像が確認できる監視カメラ２３の映像データをモバイル表示装置８に送信し、監視カメラ２３の向き、ズーム等のコントロールを行える。監視カメラ２３の設置台数に制限は無く、複数台設置しても良い。
【００９３】
（１）操作方法
モバイル表示装置８の操作方法を、図９を用いて説明する。
【００９４】
管理者等がモバイル表示装置８を乗客コンベア１に接続して、メニュー画面の画面１００ｃを表示させ、映像確認ボタン７０を押すと画面１００ｐに移行する。
【００９５】
画面１００ｐでは、監視カメラ２３で撮影している映像データが表示され、管理者等がカメラ移動ボタン７１、又は、ズームボタン７２で監視カメラ２３の向きやズームを調整し、機械室内部の映像を確認する。
【００９６】
監視カメラ２３を複数台設置する場合は、カメラ切換ボタン７３で映像を表示させるカメラを切替えて、さまざまな場所の映像を確認できる。
【００９７】
（２）効果
本実施例によれば、管理者等が乗客コンベア１の外部より機械室内の映像が確認できるため、保守点検の際の目視確認箇所を、乗降板を開けることなく映像で確認でき、作業効率が向上する。
【００９８】
また、映像の保存や印刷が可能とすると、机上で再確認することや、保守員個人の記憶、文章の表現力に頼ることなく、映像データとして関係者に周知することもできる。
【実施例７】
【００９９】
次に、本発明の実施例７の乗客コンベア１とモバイル表示装置８について図１０を用いて説明する。
【０１００】
なお、乗客コンベア１とモバイル表示装置８の構成については、実施例１と同様であるため、説明は省略する。以下、実施例１と異なるモバイル表示装置８の表示内容について図１０を用いて説明する。図１０は、本実施例の液晶タッチパネル２７の表示画面の一例を示した画面遷移図である。
【０１０１】
（１）動作
モバイル表示装置８の操作方法を、図１０を用いて説明する。
【０１０２】
管理者等がモバイル表示装置８を乗客コンベア１に接続して、メニュー画面の画面１００ｃを表示させ、故障履歴確認ボタン５２を押すと画面１００ｑに移行する。
【０１０３】
管理者等が画面１００ｑで、モバイル表示装置８に予め登録するパスワードを数値入力キー６７ｂにより入力し、エンターキー７４を押す。
【０１０４】
表示装置制御部２６は、予め登録されてあるパスワードと、入力されたパスワードの整合確認を実施し、整合している場合のみ画面１００ｄに移行する。
【０１０５】
図１０は、例として故障履歴の確認画面に移行する場合で記載しているが、操作画面の前に、画面１００ｑを表示するよう画面制御すれば、例えば１００ｃに表示される他のメニューにおいても、パスワードにより保護できる。
【０１０６】
（２）効果
本実施例によれば、各機能の操作者を限定することが可能であるため、重要なデータや情報の漏洩を防止することや、重要な設定データが不用意に書き換えられることを防止できる。
【０１０７】
また、同一のモバイル表示装置８に関して、保守員と管理者等が使用できる機能を分離して使用できる。
【実施例８】
【０１０８】
次に、本発明の実施例８の乗客コンベア１とモバイル表示装置８について説明する。
【０１０９】
なお、乗客コンベア１とモバイル表示装置８の構成については、実施例１と同様であるため、説明は省略する。以下、実施例１と異なる構成について説明する。
【０１１０】
モバイル表示装置８の音声データ記憶部３０には、予め音声データを記憶しており、表示装置制御部２６の指示により、音声出力装置２８は記憶してある音声データを読み出し、スピーカー３１から出力する。
【０１１１】
（１）動作
モバイル表示装置８の表示装置制御部２６は、液晶タッチパネル２７に画面を表示する、又は、移行する制御に合わせて、表示画面に該当する音声出力信号を音声出力装置２８へ配信する。
【０１１２】
音声出力信号を受信した音声出力装置２８は、音声出力信号の内容に合った音声データを音声データ記憶部３０から読み出し、スピーカー３１から音声を出力する。
【０１１３】
（２）効果
本実施例によれば、画面に記載された文章に合わせて、音声でも操作案内や注意事項を表現でき、視覚のみならず聴覚からも認識できるため、より解りやすく、簡単である。
【実施例９】
【０１１４】
次に、本発明の実施例９の乗客コンベア１とモバイル表示装置８について説明する。
【０１１５】
なお、乗客コンベア１とモバイル表示装置８の構成については、実施例１と同様であるため、説明は省略する。以下、実施例１と異なる構成について説明する。
【０１１６】
乗客コンベア制御装置７とモバイル表示装置８は、図示しない無線通信用の送受信機を有し、無線通信にて信号の通信を行う。
【０１１７】
（１）動作
無線通信用の送受信機は、通信可能な範囲を乗降口付近に設定しておく。モバイル表示装置８を持った管理者等が乗降口付近で、モバイル表示装置８の電源を投入すると、乗客コンベア制御装置７とモバイル表示装置８間で、無線通信用の送受信機を介して信号の通信を行うことができる。
【０１１８】
（２）効果
本実施例によれば、管理者等が接続器具９ａ〜９ｃを接続することなく作業ができるため、接続器具９ａ〜９ｃを接続する手間が省け、作業効率が向上する。
【０１１９】
また、乗客コンベア１の表面やモバイル表示装置８に、接続器具９ａ〜９ｃを設置する必要が無くなり、外観性も向上できる。
【０１２０】
通信可能な範囲を設定することで、他の乗客コンベアが隣接する場合であっても、確認する乗客コンベア１を誤認識することを防止できる。
【符号の説明】
【０１２１】
１  乗客コンベア
７  乗客コンベア制御装置
８  モバイル表示装置
２６  表示装置制御部
２７  タッチパネル
【図１】
2011063382.tif 000003
【図２】
2011063382.tif 000004
【図３】
2011063382.tif 000005
【図４】
2011063382.tif 000006
【図５】
2011063382.tif 000007
【図６】
2011063382.tif 000008
【図７】
2011063382.tif 000009
【図８】
2011063382.tif 000010
【図９】
2011063382.tif 000011
【図１０】
2011063382.tif 000012